(57)【要約】  【課題】  整流盤のブレードが変形してしまうことのない電動送風機を提供する。  【解決手段】  モータフレーム３２内に収容されたモータＭの回転軸３３に取り付けられた遠心ファン３７と、この遠心ファン３７から放出される空気を整流してモータフレーム３２内へ送り込むための整流盤５０と、遠心ファン３７と整流盤５０とを覆ったファンカバー３１とを備え、整流盤５０は、遠心ファン３７の回転面と平行に且つ対向した位置に配置された円板５１と、この円板５１の遠心ファン３７に対向する対向面の周縁部にほぼ等間隔に配置された複数の円弧状のブレード５２と、この複数のブレード５２で形成した複数の整流風路とを有する電動送風機において、前記整流風路にはモータＭの回転軸３３方向に少なくとも２分割されるようにブレード５２とブレード５２との間に仕切壁５４を設けた。【選択図】  図２
2007056740.tif 000002
【特許請求の範囲】
【請求項１】
モータフレーム内に収容されたモータの回転軸に取り付けられた遠心ファンと、この遠心ファンから放出される空気を整流して前記モータフレーム内へ送り込むための整流盤と、前記遠心ファンと前記整流盤とを覆ったファンカバーとを備え、前記整流盤は、前記遠心ファンの回転面と平行に且つ対向した位置に配置された円板と、この円板の前記遠心ファンに対向する対向面の周縁部にほぼ等間隔に配置された複数の円弧状のブレードと、この複数のブレードで形成した複数の整流風路とを有する電動送風機において、
前記整流風路には前記モータの回転軸方向に少なくとも２分割されるように前記ブレードとブレードとの間に仕切壁を設けたことを特徴とする電動送風機。
【請求項２】
前記ブレードの前記仕切壁の一側面側のブレード部と、その他側面側のブレード部との位置を周方向に対してずらしたことを特徴とする請求項１に記載の電動送風機。
【発明の詳細な説明】
【技術分野】
【０００１】
この発明は、モータの回転軸に取り付けられた遠心ファンと、この遠心ファンから放出される空気を整流する整流盤等とを備えた電動送風機に関する。
【背景技術】
【０００２】
従来から、例えば電気掃除機に搭載される電動送風機が知られている（特許文献１参照）。
【０００３】
係る電動送風機は、図７に示すように、モータケース２内に収納されたモータ３と、このモータ３の回転軸４に取り付けられた遠心ファン５と、この遠心ファン５から放出される空気を整流してモータケース２内へ送り込むための整流盤６と、遠心ファン５および整流盤６を覆ったファンケース７等とから構成されている。モータ３は、ロータ３Ｒと、ステータ３Ｓと、カーボンホルダ３Ｋなどとから構成されている。
【０００４】
整流盤６は、図８に示すように、円板６Ａと、この円板６Ａの上面（図７において）の周縁部に等間隔に設けた円弧状の複数のブレード６Ｂと、円板６Ａの裏面に設けた円弧状の複数のブレード６Ｃとを備え、ブレード６Ｂとブレード６Ｂとの間が整流風路となっており、ブレード６Ｃとブレード６Ｃとの間が戻り風路となっている。
【０００５】
このような電動送風機では、モータ３を駆動すると、回転軸４を介して遠心ファン５が回転される。この遠心ファン５の回転により、ファンケース７の中心部の吸気口７Ａから空気が吸入される。ファンケース７の吸気口７Ａから吸入された空気は、遠心ファン５によって中心から外周へと風向きが変えられて放出され、この放出された空気が複数のブレード６Ｂの整流風路によって整流されつつファンケース７の外周側へと導かれる。
【０００６】
この外側へ導かれた空気は、さらに、ブレード６Ｃの戻り風路によって整流されつつ再びファンケース７の中心へ向けて導かれる。戻り風路によって再び中心へ導かれた空気は、モータケース２の内部を通ってモータ３を冷却した後、モータケース２の排気口２Ａから排気される。
【特許文献１】特開２００５−９０３７９号公報
【発明の開示】
【発明が解決しようとする課題】
【０００７】
ところで、このような電動送風機にあっては、ブレード６Ｂ,６Ｃおよび円板６Ａは樹脂製で一体成型されており、ブレード６Ｂの一端部６Ｂａと遠心ファン５との間の隙間は狭く、遠心ファン５から放出される排気風によってそのブレード６Ｂの一端部６Ｂａに応力が集中し、そのブレード６Ｂが変形して整流作用が低下してしまう虞れがあった。
【０００８】
この発明の目的は、整流盤のブレードが変形してしまうことのない電動送風機を提供することにある。
【課題を解決するための手段】
【０００９】
上記目的を達成するため、請求項１の発明は、モータフレーム内に収容されたモータの回転軸に取り付けられた遠心ファンと、この遠心ファンから放出される空気を整流して前記モータフレーム内へ送り込むための整流盤と、前記遠心ファンと前記整流盤とを覆ったファンカバーとを備え、前記整流盤は、前記遠心ファンの回転面と平行に且つ対向した位置に配置された円板と、この円板の前記遠心ファンに対向する対向面の周縁部にほぼ等間隔に配置された複数の円弧状のブレードと、この複数のブレードで形成した複数の整流風路とを有する電動送風機において、
前記整流風路には前記モータの回転軸方向に少なくとも２分割されるように前記ブレードとブレードとの間に仕切壁を設けたことを特徴とする。
【発明の効果】
【００１０】
この発明によれば、ブレードとブレードとの間に仕切壁を設けたものであるから、ブレードの変形を防止することができる。
【発明を実施するための最良の形態】
【００１１】
以下、この発明に係る電動送風機の実施形態である実施例を図面に基づいて説明する。
【実施例】
【００１２】
［第１実施例］
図１および図２に示す電動送風機３０は、ファンカバー３１と、モータフレーム３２と、このモータフレーム３２に取り付けられたモータＭと、このモータＭの回転軸３３に取り付けられた遠心ファン３７と、この遠心ファン３７の下側（図１において）に配置された整流盤５０と、モータフレーム３２の上面開口寄りにネジ３９で固定されたフレーム４０とを備えている。
【００１３】
モータＭは、回転軸３３と、この回転軸３３に固定された回転子３４と、回転子３４に対向するとともにモータフレーム３２に固定された固定子３５と、回転軸３３の下部（図１において）に位置するとともにモータフレーム３２に保持されたブラシユニット３６等とから構成されている。
【００１４】
回転軸３３は、その下部がモータフレーム３２の底壁３２Ａの中心部に形成された凹部３２Ａｂにベアリング４２を介して回転自在に支持され、その上部がフレーム４０の凹部４０ａにベアリング４３を介して回転自在に支持されて取り付けられている。モータフレーム３２の下部（図１において）には排気口３２ａが形成されている。
【００１５】
また、遠心ファン３７は、ベースシュラウド３７ａと、中心に開口３７ｂを有するファンシュラウド３７ｃと、各シュラウド３７ａ，３７ｃ間に位置して開口３７ｂ側から周縁部に向かって螺旋放射状に延びる複数のフィン３７ｄと、ファンシュラウド３７ｃの周縁部全周から立ち上げられた立壁３７ｅとを備えている。
【００１６】
遠心ファン３７は、ベースシュラウド３７ａの上下に位置するワッシャ４４，４５並びにナット４６により回転軸３３の上部に固定され、回転軸３３と一体に回転する。この回転により、ファンカバー３１の上面中心に形成された開口３１ａおよびベースシュラウド３７ａの開口３７ｂから外気を吸引し、この吸引した空気を複数のフィン３７ｄ間から外方へ放出する。
【００１７】
整流盤５０は、図３に示すように、円板５１と、この円板５１の上面（図３において）の周縁部に形成された複数の円弧状のブレード５２と、円板５１の下面の周縁部に形成された複数の円弧状の戻りブレード５３とを備えている。
【００１８】
円板５１は、ネジ４７によりフレーム４０に固定されていて、遠心ファン３７の回転面と平行に且つ対向した位置に配置されている（図１参照）。
【００１９】
各ブレード５２は、隣接するブレード５２とによって整流風路５５を形成しており、この整流風路５５が遠心ファン３７から放出される空気を整流しながらファンカバー３１の外周側へと導くようになっている。
【００２０】
また、ブレード５２とブレード５２との間には仕切壁５４が一体的に設けられており、整流風路５５が上下（図１において）に第１整流風路５５Ａと第２整流風路５５Ｂとに分割されている。すなわち、整流風路５５の横断面が仕切壁５４によってモータＭの回転軸３３方向に対して２分割されている。
【００２１】
仕切壁５４は、図４に示すように、前縁部５４ａが内側のブレード５２′の前端５２′ａから外側のブレード５２の内側面に沿って外側のブレード５２の前端５２ａまで延びている。また、後縁部５４ｂが外側のブレード５２の後端５２ｂから内側のブレード５２′の外側面に沿ってそのブレード５２′の後端５２′ｂの近傍まで延びている。
【００２２】
各戻りブレード５３は、隣接する戻りブレード５３とによって戻り風路５６を形成しており、この戻り風路５６がファンカバー３１の外周側へ導かれた空気をファンカバー３１の中心側へ導くようになっている。
［動  作］
次に、上記のように構成される電動送風機３０の動作について説明する。
【００２３】
モータＭの駆動により遠心ファン３７が回転し、この遠心ファン３７の回転によりファンカバー３１の開口３１ａから空気が吸入され、この吸入された空気は遠心ファン３７の複数のフィン３７ｄ間から外方へ放出される。この外方へ放出された空気は、整流盤５０の整流風路５５によって整流されながらファンカバー３１の外周側へと導かれる。
【００２４】
この空気は、さらに整流盤５０の戻り風路によってファンカバー３１の中心部へ導かれて、モータフレーム３２の内部を通ってモータＭを冷却した後、モータフレーム３２の排気口３２ａから排気される。
【００２５】
ところで、整流盤５０のブレード５２の前端５２ａと遠心ファン３７のフィン３７ｄの先端部との間の隙間は狭く、このため、遠心ファン３７のフィン３７ｄ，３７ｄ間から放出される空気によって、整流盤５０のブレード５２の前端部５２ａの近傍に応力集中が生じるが、ブレード５２とブレード５２との間に仕切板５４が設けられていることにより、その応力集中によるブレード５２の変形は抑制される。
【００２６】
このため、ブレード５２で形成される整流風路５５の整流効果が低下してしまうことが防止される。また、仕切板５４によってブレード５２の変形が抑制されることにより、そのブレード５２の肉厚を薄くすることが可能となり、風路損失の低減を図ることができる。
［第２実施例］
図５は第２実施例の整流盤１００を示したものであり、この整流盤１００は、仕切壁１５４の上面に複数の円弧状のブレード（ブレード部）１５２Ａを設け、仕切壁１５４の下面に複数の円弧状のブレード（ブレード部）１５２Ｂを設け、ブレード１５２Ａとブレード１５２Ａとで第１整流風路１５５Ａを形成し、ブレード１５２Ｂとブレード１５２Ｂとで第２整流風路１５５Ｂを形成し、ブレード１５２Ａとブレード１５２Ｂの位置を互いに円板５１の周方向に沿って所定距離だけずらしたものである。
【００２７】
すなわち、図６に示すように、第１整流風路１５５Ａの出口の開口端１５５Ａａの位置と第２整流風路１５５Ｂの出口の開口端１５５Ｂｂの位置とが周方向（図６において左右方向）に沿ってずれている。このため、遠心ファン３７の回転によってブレード１５２Ａ，１５２Ｂの前端１５２Ａａ，１５２Ｂａで発生する風切音の音圧が開口端１５５Ａａと開口端１５５Ｂｂから放出されるタイミングがずれることになり、このため、風切音の音は大きくならず、低騒音の電動送風機となる。
【図面の簡単な説明】
【００２８】
【図１】この発明に係る電動送風機の構成を示した半断面図である。
【図２】図１に示す電動送風機の構成を示した分解斜視図である。
【図３】図１に示す電動送風機の整流盤の構成を示した斜視図である。
【図４】整流盤のブレードと仕切壁を示した説明図である。
【図５】第２実施例の整流盤の構成を示した斜視図である。
【図６】整流風路の開口端を示した説明図である。
【図７】従来の電動送風機の構成を示した半断面図である。
【図８】従来の整流盤を示した斜視図である。
【符号の説明】
【００２９】
３１          ファンカバー
３２          モータフレーム
３３          回転軸
３７          遠心ファン
５０          整流盤
５２          ブレード
５４          仕切壁
Ｍ            モータ
【図１】
2007056740.tif 000003
【図２】
2007056740.tif 000004
【図３】
2007056740.tif 000005
【図４】
2007056740.tif 000006
【図５】
2007056740.tif 000007
【図６】
2007056740.tif 000008
【図７】
2007056740.tif 000009
【図８】
2007056740.tif 000010